(57)【要約】  家具及び家財道具の部品のバレル連結部用バレルは、ブロッキング要素（３０；２９；２３０）及びブロッキング要素（３０；２９；２３０）を作動させる工具（２１、４７）の先端が通過するための中空円筒体（３２、３３；１３２；２３２）の側面の１つに少なくとも１つの穴（４１；１４１；２４１）を含む中空円筒体（３２、３３；１３２；２３２）を備え、中空円筒体（３２、３３；１３２；２３２）は、バレル連結部のピン（１６；２１５、４５）を受けるための少なくともさらなる穴（４２；１４２；２４２）も備える。【選択図】図６
2019509441.tif 000002
【特許請求の範囲】
【請求項１】
ブロッキング要素（２９）を有する中空円筒体（１３２）を備える家具及び家財道具の部品のバレル連結部用バレルであって、前記中空円筒体（１３２）は、その側面の１つに、前記バレル連結部のピン（１６）を受けるための少なくとも１つの穴（１４２）を備えるとともに、その内部に前記ブロッキング要素（２９）がグラブねじの形態でねじ込まれる内部ねじ部（１３５）を有するバレル連結部用バレルにおいて、
前記中空円筒体（１３２）は、前記グラブねじ（２９）の周辺歯部（１０１）に作用することに適した工具（２１）の先端が通過するため、その側面の１つに少なくとも１つのさらなる穴（１４１）を備えることを特徴とする家具及び家財道具の部品のバレル連結部用バレル。
【請求項２】
請求項１に記載のバレル連結部用バレルであって、
前記中空円筒体（１３２）は、前記グラブねじ（２９）のハウジング（１００）への挿入に適したスクリュドライバ（２１）の先端が通過するための上部穴（１０３）を備えることを特徴とするバレル連結部用バレル。
【請求項３】
ブロッキング要素（３０）と、その側面の１つに前記ブロッキング要素（３０）を作動させる工具（２１）の先端が通過するための少なくとも１つの穴（４１）とを含む中空円筒体（３２、３３）であって、前記バレル連結部のピン（１６）を受けるためのさらなる穴（４２）もさらに備える中空円筒体（３２、３３）を有する家具及び家財道具の部品のバレル連結部用バレルであって、
前記中空円筒体は、互いに接合でき、前記ブロッキング要素（３０）を含む中空円筒ケースを形成する２つのハーフシェル（３２、３３）を備えることを特徴とする家具及び家財道具の部品のバレル連結部用バレル。
【請求項４】
請求項３に記載のバレル連結部用バレルであって、
前記２つのハーフシェル（３２、３３）は、前記少なくとも１つの穴（４１）から作動可能なベベルギヤ（３６、３７）の手段によってスライドされるグラブねじ（３４）を有するブロッキング機構（３０）を含むことを特徴とするバレル連結部用バレル。
【請求項５】
請求項４に記載のバレル連結部用バレルであって、
前記ベベルギヤは、ピニオン（３６）と、歯付クラウン（３７）とを有し、
前記ピニオン（３６）は、前記円筒ケース（３２、３３）に形成されるハウジング内で回転可能であるとともに、前記歯付クラウン（３７）は、前記グラブねじ（３４）内のねじ部（３５）に係合するねじ付スクリュ（３８）のヘッド部として形成され、
前記グラブねじ（３４）は、前記グラブねじ（３４）の軸方向並進移動を可能とする回転を抗するブロッキング手段を提供することを特徴とするバレル連結部用バレル。
【請求項６】
請求項５に記載のバレル連結部用バレルであって、
前記手段は、前記ケース（３２、３３）内の相補型座部（４０）内で接合される前記グラブねじ（３４）の放射状突起（３９）から構成されることを特徴とするバレル連結部用バレル。
【請求項７】
ブロッキング要素（２３０）と、その側面の１つに前記ブロッキング要素（２３０）を作動させる工具（４７）の先端が通過するための少なくとも１つの穴（２４１）とを含む中空円筒体（２３２）であって、前記バレル連結部のピン（２１５）を受けるための少なくともさらなる穴（２４２）も提供する中空円筒体（２３２）を備える家具及び家財道具の部品のバレル連結部用バレルであって、
前記中空円筒体（２３２）は、その内部で回転可能なシリンダ（４３）であって、前記バレル連結部の前記ピン（２１５）の一部を形成する拡大ヘッド部（４５）を有するスクリュとの係合に適したカム（４４）を中間部に備えるシリンダ（４３）を収容することを特徴とする家具及び家財道具の部品のバレル連結部用バレル。
【請求項８】
請求項７に記載のバレル連結部用バレルであって、
前記回転式シリンダ（４３）の前記カム（４４）は、湾曲した壁の形状で作られることを特徴とするバレル連結部用バレル。
【請求項９】
請求項７又は８に記載のバレル連結部用バレルであって、
前記シリンダ（４３）の上部は、前記シリンダ（４３）の前記側面に対して埋め込まれる周縁歯部（４６）を備え、前記カム（４４）の前記回転のための作動手段を形成するスクリュドライバ（４７）の星型先端部の手段により係合できることを特徴とするバレル連結部用バレル。
【請求項１０】
請求項８又は９に記載のバレル連結部用バレルであって、
スクリュドライバ（４７）の星型先端部を受けることに適した前記シリンダ（４３）の上に形成されるシート（４８）からなる前記回転のためのさらなる作動手段を提供することを特徴とするバレル連結部用バレル。
【発明の詳細な説明】
【技術分野】
【０００１】
本発明は、家具及び家財道具の部品のバレル連結部用バレルに関する。
【０００２】
家具及び家財道具産業において、例えば、１点の家具の肩部と、基台、棚又は天板との間などの２つのパネル間の連結は、現在、肩部の穴にねじ込まれたピンと、家具の基台、棚又は天板に形成された穴に挿入されたバレルとを位置付けることによって達成される。
【０００３】
このようにバレルを位置付けるためには、そのねじ部にグラブねじを収容するバレルを受ける相対的に大きな穴を、家具の基台、棚又は天板に作らねばならない。また、このように作られた穴は、関連する部品の美的外観を復元するためにキャップで覆わねばならない。さらに、バレルが位置付けられる基台、棚又は天板の厚さを原因として、バレルは特定のサイズよりも長くしてはならない。
【発明の概要】
【０００４】
図１乃至図５は、１点の家具Ｍの天板１１及び／又は基台１２と、家具Ｍの２つの側肩部１３とを接続して、所望の連結部を提供するよう設計された当該型の既知の解決手段を表わしている。
【０００５】
図示される既知の解決手段では、ピン１６のねじ付端部１５を受ける肩部１３に構成される、より小さなサイズの水平穴部１４が設けられなければならない。家具Ｍの基台又は棚１２、及び天板１１の両方の可視部品に作られる、さらにより大きなサイズの垂直穴部１７も、バレル１９を受けるよう設けられなければならない。上述の垂直穴１７と交差する、追加の水平穴部２０もまた、ピン１６のねじ付端部１５を受けるよう設けられなければならない。
【０００６】
バレル１９を受ける穴部１７もまた、完成家具の美的外観を復元するために、不図示の特定のキャップで覆われなくてはならないことが容易に理解できうる。
【０００７】
このタイプの連結部のブロックは、ピン１６を肩部１３に位置付け、バレル１９を基台１２又は天板１１に位置付けた後に、一般的なスクリュドライバ２１を使用してなされる。
【０００８】
図面に実際に示されているが、図３乃至図５に示される固定及びブロッキング段階に表されるように、連結部に対し垂直な方向に働きかける必要がある。スクリュドライバ２１は、バレル１９を位置付けるために使用される穴部１７内を通過し、矢印２３に従ってねじ込んで、ねじ付グラブねじ２２をブロックする。実際に、極めて短いボディ及びかなりの径を有するバレル１９の内部ねじ部２４にグラブねじ２２が位置していることが見られる。穴部１７を覆うキャップ（不図示）は、一度部品間で安定した連結が得られると、その結果同じ大きな寸法となる。
【０００９】
なお、このタイプのキャップは、基台又は棚１２の上面に位置付けられるため、基台又は棚１２の上面に配置され得る物体にとっての妨害物又は障害源を作り出す。
【００１０】
ＤＥ３１４５８２５は、請求項１のプリアンブルによると、家具及び家財道具の部品のバレル連結部用バレルを説明している。
【００１１】
ＤＥ２７４８２７２、ＬＵ３７７５７及びＥＰ１４６９２０６は、家具及び家財道具の部品のバレル連結部用バレルの他の例を示している。
【００１２】
本発明の全般的な目的は、極めて単純で、経済的、かつ特に機能的な方法で、上記既知技術の欠点を解決できる、肩部、基台、天板及び／又は棚等の家具及び家財道具の部品のバレル連結部用バレルを提供することにある。
【００１３】
従って、本発明のさらなる目的は、観察者の部品の視認性を最小限にして、結果的に高い審美的価値を得ることに加えて、動かせない邪魔物が基台又は棚の近くに存在する場合にも、少なくとも２つの側面からアクセス可能なバレル連結部用バレルを提供することにある。
【００１４】
本発明の他の目的は、単一パネルを弱体化させずに、単一パネルの厚みに挿入できるようにする家具及び家財道具の部品間の連結部用バレルを提供することにある。
【００１５】
既知技術に対する本発明の構造的及び機能的な特性及びその利点は、同じ革新的発想を有する同発明の実施形態例を表す、同封の概略図を参照することで、以下の説明によりさらに明らかとなる。
【図面の簡単な説明】
【００１６】
【図１】図１は、基台及び天板により接続されて部品間に安定した連結部を形成する１つの家具の２つの肩部の間に配置される既知技術のバレル及びピンを有する１点の家具の分解斜視図及び組立後の図である。
【図２】図２は、基台及び天板により接続されて部品間に安定した連結部を形成する１つの家具の２つの肩部の間に配置される既知技術のバレル及びピンを有する１点の家具の分解斜視図及び組立後の図である。
【図３】図３は、先の図１及び図２に示される１点の家具の連結部を形成するピンに接続される場合の既知技術のバレルの断面図である。
【図４】図４は、先の図１及び図２に示される１点の家具の連結部を形成するピンに接続される場合の既知技術のバレルの断面図である。
【図５】図５は、先の図１及び図２に示される１点の家具の連結部を形成するピンに接続される場合の既知技術のバレルの断面図である。
【図６】図６は、１つの家具の２つの肩部と基台及び天板とのそれぞれの部品間に安定した連結部を形成するピンに接続される本発明によるバレルを有する１点の家具の分解斜視図及び組立後の図である。
【図７】図７は、１つの家具の２つの肩部と基台及び天板とのそれぞれの部品間に安定した連結部を形成するピンに接続される本発明によるバレルを有する１点の家具の分解斜視図及び組立後の図である。
【図８】図８は、先の図６及び図７に示される連結部を形成するピンに接続される場合の本発明によるバレルの断面図である。
【図９】図９は、先の図６及び図７に示される連結部を形成するピンに接続される場合の本発明によるバレルの断面図である。
【図１０】図１０は、先の図６及び図７に示される連結部を形成するピンに接続される場合の本発明によるバレルの断面図である。
【図１１】図１１は、先の図６及び図７に示される連結部を形成するピンに接続される場合の本発明によるさらなるバレルの断面図である。
【図１２】図１２は、先の図６及び図７に示される連結部を形成するピンに接続される場合の本発明によるさらなるバレルの断面図である。
【図１３】図１３は、先の図６及び図７に示される連結部を形成するピンに接続される場合の本発明によるさらなるバレルの断面図である。
【図１４ａ】図１４ａは、先の図６及び図７に示される連結部を形成するピンに接続される際の本発明による他のさらなるバレルの２つの鉛直な方向による断面図である。
【図１４ｂ】図１４ｂは、先の図６及び図７に示される連結部を形成するピンに接続される際の本発明による他のさらなるバレルの２つの鉛直な方向による断面図である。
【図１５ａ】図１５ａは、先の図６及び図７に示される連結部を形成するピンに接続される際の本発明による他のさらなるバレルの２つの鉛直な方向による断面図である。
【図１５ｂ】図１５ｂは、先の図６及び図７に示される連結部を形成するピンに接続される際の本発明による他のさらなるバレルの２つの鉛直な方向による断面図である。
【図１６ａ】図１６ａは、先の図６及び図７に示される連結部を形成するピンに接続される際の本発明による他のさらなるバレルの２つの鉛直な方向による断面図である。
【図１６ｂ】図１６ｂは、先の図６及び図７に示される連結部を形成するピンに接続される際の本発明による他のさらなるバレルの２つの鉛直な方向による断面図である。
【発明を実施するための形態】
【００１７】
まず、図６及び図７を参照すると、図６及び図７は、本発明による家具及び家財道具の部品のバレル連結部用バレルを提供する一連の４つの連結部によって、２つの側肩部１３間に位置することに適した、天板１１と基台又は棚１２を備える１点の家具Ｍを表している。
【００１８】
本発明によるバレルを提供する当該型のバレル連結部を位置付けるために、本発明によるバレル２６、１２６を受ける肩部１３の厚みの中に形成される垂直穴部２５が設けられる。さらにより小さいサイズを有し、家具Ｍの基台又は棚１２、及び天板１１の両方の厚み内に形成される水平穴部２７もまた、ピン１５を受けるために設けられなくてはならない。
【００１９】
バレル連結部のブロッキング要素に働きかけるために使用される上述の垂直穴部２５と交差する、追加の水平穴部２８もまた、肩部１３に設けられなくてはならない。当該型のブロッキング要素は、バレル２６、１２６、２２６内の単純なグラブねじ２９（図１１乃至図１３）によって又はブロッキング機構３０（図８乃至図１０）若しくは２３０（図１４ａ乃至図１６ｂ）によって作ることができる。グラブねじ２９及びブロッキング機構３０、２３０の両者は、グラブねじ２９及びブロッキング機構３０、２３０の一部において、この目的のためにピン１６、２１５に存在するハウジング３１に係合する。
【００２０】
図８乃至図１０は、同様のバレル連結部における本発明によるバレル２６を表す。
【００２１】
バレル２６は、互いに接合できる一対のハーフシェル３２、３３からなり、ブロッキング機構３０を含む中空円筒ケースを形成する。特に、グラブねじ３４と同軸の穴内の３５に内側にねじ切りされた、グラブねじ３４は、２つのハーフシェル３２、３３から成る前記ケースの一部の中にスライドして入れられる。
【００２２】
ピニオン３６及び歯付クラウン３７を備えるベベルギヤは、グラブねじ３４並進移動を可能にする。より具体的には、ピニオン３６は、一対のハーフシェル３２、３３内に形成されるハウジング内で回転可能であり、一方、歯付クラウン３７は、グラブねじ３４の内部ねじ部３５において係合するねじ付スクリュ３８のヘッド部として形成される。図面で例示されるグラブねじ３４は、同グラブねじ３４の並進移動を可能にし、回転に抗するブロッキング手段を備えることができ、その回転を防止する。手段は、例えば、グラブねじ３４の放射状突起３９によって構成でき、少なくとも１つのハーフシェル３２、３３内に形成される垂直相補型座部４０内に接合される。
【００２３】
当該ブロッキング機構は、スクリュドライバ２１の星型先端部によって外側から動かされる。
【００２４】
なお、例えば、３３で示されるハーフシェルの１つが、側面において、ケース３２、３３内部にアクセスするための側穴４１を備えることがわかるだろう。スクリュドライバ２１の先端は、前記側穴４１から通過する。さらに、２つのシェル３２、３３は、ピン１６を受けるため、２つのハーフシェル３２、３３で整列する２つのさらなる穴４２を提供する。
【００２５】
ケース３２、３３は、結果的に、上述の肩部１３に形成される各水平穴部２８と整列する少なくとも１つの側穴４１を備える。
【００２６】
図８乃至図１０は、ブロッキング機構３０によりなされる、バレル内のグラブねじ３４の動きによる、ピン１６のバレル２６への挿入及びピン１６のブロックの両方を示す。
【００２７】
図１１乃至図１３は、同じ革新的発想を適用する本発明によるバレル連結部用バレルのさらなる一例を示す。
【００２８】
図面では、バレル１２６は、グラブねじ２９がねじ込まれる内部ねじ部１３５を備える円筒形状を有するボディ１３２を備える。ボディ１３２は、スクリュドライバ２１の先端が通過する側穴１４１及びピン１６を受けるために整列する２つのさらなる穴１４２も備える。
【００２９】
グラブねじ２９のヘッド部は、スクリュドライバ２１の先端用のハウジング１００及びスクリュドライバ２１の先端と協働するための周辺歯部１０１の両方を備える。
【００３０】
そのため、この場合に、先の例のように、バレル１２６のボディ１３２の側穴１４１から通過し、スクリュドライバ２１の先端部でグラブねじ２９の周辺歯部１０１に働きかけることによって、どのように最初にグラブねじ２９に作用するかが分かる。
【００３１】
スクリュドライバ２１の先端をグラブねじ２９のハウジング１００内に挿入することを可能にするバレル１２６のボディ１３２の上部穴１０３の存在により、グラブねじ２９を回転させるさらなる可能性がもたらされる。
【００３２】
図１４ａ乃至図１６ｂは、同じ進歩性の着想を適用する発明によるバレル連結部用のバレルのさらなる一例を示す。
【００３３】
図１４ａ乃至図１６ｂでは、バレル２２６はブロッキング機構２３０を含む。バレル２２６は、その内部にてシリンダ４３が収納され、その内部で回転する、円筒形状を有する中空ボディ２３２を備える。シリンダ４３は、ピン２１５の部品を形成する拡大ヘッド部４５を有するスクリュとの係合に適したカム４４を中間部に備える。
【００３４】
既に明記したが、回転可能なシリンダ４３のカム４４は、可変な輪郭を備え上方に延びる歯部を形成する湾曲した壁状に作られる（図１４ｂ）。
【００３５】
シリンダ４３の上部は、シリンダ４３の側面に対して埋め込まれる周縁歯部４６を含み、スクリュドライバ４７（部分的にのみ示す）の星型先端部の手段によって係合されうる。前記歯部４６はカム４４を回転させる作動手段を形成する。
【００３６】
しかしながら、回転させるさらなる作動手段が存在し、スクリュドライバ４７（部分的にのみ示す）の星型先端部を受けることに適したシリンダ４３の上に形成される座部４８を備えることがわかるだろう。さらに、バレル２２６のボディ２３２は、側穴２４１及びさらなる穴２４２を備え、側穴２４１からはスクリュドライバ４７の先端が通過し、さらなる穴２４２からはピン２１５の部品を形成する拡大ヘッド部４５を有するスクリュが通過する。
【００３７】
そのため、この場合、いかに、バレル２２６のボディ２３２の側穴２４１から通過し、スクリュドライバ４７の先端部でシリンダ４３の周辺の周縁歯部４６に作用することによって、最初にバレル２２６に作用できるかが分かる。
【００３８】
スクリュドライバ４７の先端をシリンダ４３のシート４８内に挿入することを可能にするバレル２２６のボディ２３２の上部開口部の存在により、シリンダ４３を回転させる、さらなる可能性がもたらされる。
【００３９】
本発明による家具及び家財道具の部品のバレル連結部用バレルの利点及び革新的特性が上記のように示された。
【００４０】
本発明によるバレル連結部用バレルを作るための形態及び構造は、材料及び組立モードも含め、図面において純粋に例示及び非限定の目的で示されたものから必然的に異なることができる。
【００４１】
そのため、明細書のプリアンブルで言及される目的は実現されている。
【００４２】
本発明の保護適用範囲は、同封の請求項により定義される。
【図１】
2019509441.tif 000003
【図２】
2019509441.tif 000004
【図３】
2019509441.tif 000005
【図４】
2019509441.tif 000006
【図５】
2019509441.tif 000007
【図６】
2019509441.tif 000008
【図７】
2019509441.tif 000009
【図８】
2019509441.tif 000010
【図９】
2019509441.tif 000011
【図１０】
2019509441.tif 000012
【図１１】
2019509441.tif 000013
【図１２】
2019509441.tif 000014
【図１３】
2019509441.tif 000015
【図１４ａ】
2019509441.tif 000016
【図１４ｂ】
2019509441.tif 000017
【図１５ａ】
2019509441.tif 000018
【図１５ｂ】
2019509441.tif 000019
【図１６ａ】
2019509441.tif 000020
【図１６ｂ】
2019509441.tif 000021
【国際調査報告】
2019509441.tif 000022
2019509441.tif 000023
2019509441.tif 000024
2019509441.tif 000025